(57)【特許請求の範囲】
【請求項１】
山面と谷面とが斜面で連続して台形波形断面形状をなすデッキプレートの長さ方向両端部を金型で押し潰すことにより谷面より高い位置に端部閉塞の梁載置部を形成してなる複数の端部閉塞デッキプレートを梁間に掛け渡して敷設する際に、敷設したデッキプレート全体の幅方向端縁とデッキプレート幅方向の梁と間に、デッキプレート長さ方向の中間位置に対応する中間部用幅調整板とともに配置されるデッキプレート敷設用の端部用幅調整板であって、
少なくともデッキプレート幅方向の梁に載る平坦な上面部と下端縁がデッキプレートの側縁部に載る縦面部とを有する断面形状の中間部分の両側にそれぞれ、前記中間部分の上面部及び縦面部を延長した断面形状を基本形状とするがデッキプレートの長さ方向端部における変形した側縁部に沿う形状にした変形対応端部を有して、デッキプレート幅方向からみて左右対称形状になっていることを特徴とするデッキプレート敷設用の端部用幅調整板。
【請求項２】
前記変形対応端部の平坦な上面部は、長さ方向端部における幅方向片側縁部に上方に浮き上がった隆起部を備え、縦面部は前記隆起部の端から斜め下方に向かう傾斜縁を有することを特徴とする請求項１記載のデッキプレート敷設用の端部用幅調整板。
【請求項３】
前記縦面部の下端縁から上面部と反対側に水平に折れ曲がった下面部を有して略Ｚ形断面形状をなすことを特徴とする請求項１又は２記載のデッキプレート敷設用の端部用幅調整板。
【請求項４】
前記縦面部は、その上端縁側がデッキプレート幅方向の梁に接近する向きに傾斜していることを特徴とする請求項１〜３記載のデッキプレート敷設用の端部用幅調整板。
【請求項５】
山面と谷面とが斜面で連続して台形波形断面形状をなすデッキプレートの長さ方向両端部を金型で押し潰すことにより谷面より高い位置に端部閉塞の梁載置部を形成してなる複数の端部閉塞デッキプレートを梁間に掛け渡して敷設する際に、敷設したデッキプレート全体の幅方向端縁とデッキプレート幅方向の梁との間に幅調整板を配置するデッキプレート敷設構造であって、
少なくともデッキプレート幅方向の梁に載る平坦な上面部と下端縁がデッキプレートの側縁部に載る縦面部とを有する断面形状を持つ中間部用幅調整板をデッキプレート長さ方向中間部に対応して配置し、その両側に請求項１〜４の端部用幅調整板を配置したことを特徴とするデッキプレート敷設構造。
【発明の詳細な説明】
【技術分野】
【０００１】
この発明は、谷面より高い位置に端部閉塞の梁載置部を形成してなる端部閉塞デッキプレートを敷設する際に、敷設したデッキプレート全体の幅方向端縁とデッキプレート幅方向の梁との間に中間部用幅調整板とともに配置される端部用幅調整板、及びこの端部用幅調整板を用いたデッキプレート敷設構造に関する。
【背景技術】
【０００２】
建築物の床を構築するために複数のデッキプレートを梁間に掛け渡して敷設する際、敷設したデッキプレート全体の幅方向端縁とデッキプレート幅方向の梁との間の隙間（1枚のデッキプレート幅に満たない半端な隙間）が生じる場合がある。
この隙間をなくすために一般に幅調整板が配置されるが、通常の場合、この幅調整板は単なる細長い長方形の平板でよい。
【０００３】
ところで、コンクリート打設時にコンクリートがデッキプレート長さ方向端部の山面下側空間から流出しないように、デッキプレートの長さ方向両端部を金型で押し潰すことにより端部閉塞の梁載置部を形成した端部閉塞デッキプレートがあるが、そのなかで、端部閉塞の梁載置部を谷面より高い位置に形成したタイプ（いわゆる中間エンクロタイプ及び逆エンクロタイプ）の端部閉塞デッキプレートの場合、デッキプレートの長さ方向端部を除いてデッキプレートの側縁部は梁上面より低い位置となるので、幅調整板は単なる平板を用いることはできず、デッキプレート幅方向の梁に載る上面部とデッキプレートの側縁部に載る下面部と両者間をつなぐ縦面部とからなるＺ形断面とする必要があり、かつ、その両側部分をデッキプレートの長さ方向端部の押潰し部形状に合わせた形状とする必要がある。
なお、端部閉塞の梁載置部を谷面より高い位置に形成した端部閉塞デッキプレートの場合は、上面からみて１枚のデッキプレート幅に満たない半端な隙間が生じないデッキプレート配列の場合でも、デッキプレートの側縁部とデッキプレート幅方向の梁との間には必ず上下方向の隙間があるので、その上下方向の隙間を埋めるための上下隙間塞ぎ板が必要となる。したがって、梁載置部が谷面より高い端部閉塞デッキプレート（本発明の対象のデッキプレート）に用いる幅調整板は、実際には上下隙間塞ぎ板兼幅調整板であるが、単に幅調整板と呼ぶ。
【０００４】
ところで、使用するデッキプレートの長さは建築物の梁の態様に応じて種々多様なので、各デッキプレートの長さに合わせた専用の幅調整板を製作することは極めて煩雑である。そこで、図１５（イ）、（ロ）に示すように、中間位置には単なるＺ形断面形状の中間部用幅調整板３１’を用い、端部用の幅調整板として、デッキプレートの長さ方向両端の押潰し部形状に合わせた一端用（図では右側用）の端部用幅調整板１１ａ’及び他端用（同左側用）の端部用幅調整板１１ｂ’を用いることが行われている。中間部用幅調整板３１’と両側の端部用幅調整板１１ａ’、１１ｂ’との全体がデッキプレート全体の幅方向端縁とデッキプレート幅方向の梁との間の隙間をなくすための幅調整板１０’を構成する。１５はデッキプレートの両端を掛け渡す梁である。
【０００５】
この場合、右側用及び左側用の端部用幅調整板１１ａ’、１１ｂ’を用意すれば、デッキプレートの長さが異なる場合にはデッキプレート長さに応じた長さの中間部用幅調整板３１’を用意すれば済むことになる。中間部用幅調整板３１’は単なるＺ形断面形状であるから、デッキプレート長さに応じて製作することはそれほど煩雑ではない。
【発明の開示】
【発明が解決しようとする課題】
【０００６】
上記のように従来の端部用幅調整板１１ａ’、１１ｂ’は、デッキプレートの長さ方向の一端側と他端側とで異なる形状としなければならず、２種類の端部用幅調整板を用意しておかなければならないので、種々の点で煩雑である。すなわち、一端用か他端用かを区別して製造し、製品管理をする必要がある点で煩雑である。また、施工現場における管理も煩雑であり、両者を取り違えて準備した場合には作業能率が大幅に低下する。
【０００７】
本発明は、上記事情に鑑みてなされたもので、敷設したデッキプレート全体の幅方向端縁とデッキプレート幅方向の梁との間の隙間をなくすために、デッキプレート長さ方向の中間部に対応する中間部用幅調整板とともに用いる端部用幅調整板として、２種類用意することを必要とせず１種類で済むデッキプレート敷設用の端部用幅調整板を提供することを目的とする。
【課題を解決するための手段】
【０００８】
上記課題を解決する請求項１の発明は、山面と谷面とが斜面で連続して台形波形断面形状をなすデッキプレートの長さ方向両端部を金型で押し潰すことにより谷面より高い位置に端部閉塞の梁載置部を形成してなる複数の端部閉塞デッキプレートを梁間に掛け渡して敷設する際に、敷設したデッキプレート全体の幅方向端縁とデッキプレート幅方向の梁との間に、デッキプレート長さ方向の中間位置に対応する中間部用幅調整板とともに配置されるデッキプレート敷設用の端部用幅調整板であって、
少なくともデッキプレート幅方向の梁に載る平坦な上面部と下端縁がデッキプレートの側縁部に載る縦面部とを有する断面形状の中間部分の両側にそれぞれ、前記中間部分の上面部及び縦面部を延長した基本形状をなすがデッキプレートの長さ方向端部における変形した側縁部に沿う形状にした変形対応端部を有して、デッキプレート幅方向からみて左右対称形状になっていることを特徴とする。
【０００９】
請求項２は、請求項１のデッキプレート敷設用の端部用幅調整板において、変形対応端部の平坦な上面部が、長さ方向端部における幅方向片側縁部に上方に浮き上がった隆起部を備え、縦面部は前記隆起部の端から斜め下方に向かう傾斜縁を有することを特徴とする。
【００１０】
請求項３は、請求項１又は２のデッキプレート敷設用の端部用幅調整板において、縦面部の下端縁から上面部と反対側に水平に折れ曲がった下面部を有して略Ｚ形断面形状をなすことを特徴とする。
【００１１】
請求項４は、請求項１〜３のデッキプレート敷設用の端部用幅調整板における縦面部が、その上端縁側がデッキプレート幅方向の梁に接近する向きに傾斜していることを特徴とする。
【００１２】
請求項５の発明は、山面と谷面とが斜面で連続して台形波形断面形状をなすデッキプレートの長さ方向両端部を金型で押し潰すことにより谷面より高い位置に端部閉塞の梁載置部を形成してなる複数の端部閉塞デッキプレートを梁間に掛け渡して敷設する際に、敷設したデッキプレート全体の幅方向端縁とデッキプレート幅方向の梁との間に幅調整板を配置するデッキプレート敷設構造であって、
少なくともデッキプレート幅方向の梁に載る平坦な上面部と下端縁がデッキプレートの側縁部に載る縦面部とを有する断面形状を持つ中間部用幅調整板をデッキプレート長さ方向中間部に対応して配置し、その両側に請求項１〜３の端部用幅調整板を配置したことを特徴とする。
【発明の効果】
【００１３】
本発明の端部用幅調整板、及びこれを用いたデッキプレート敷設構造によれば、デッキプレート長さ方向の中間位置に対応する中間部用幅調整板とその両側に配置する端部用幅調整板とを組み合わせて用いるので、デッキプレートの長さに応じて適切な長さの中間部用幅調整板を用いることで、デッキプレートの種々の長さに容易に対応できる。
そして、平坦部と縦面部とからなる略Ｌ字形又はそれに下面部を付加した略Ｚ形断面形状の中間部分の両側に、デッキプレートの長さ方向端部の変形した側縁部に沿う形状をなす変形対応端部を有して左右対称形状なので、デッキプレート長さ方向の一端側か他端側かを区別する必要がなく、いずれにも用いることができる。
また、デッキプレート端縁と梁との間の隙間がデッキプレート幅方向のいずれにある場合でも対応できる。このように、１種類の端部用幅調整板のみですべての場合に対応できる。
したがって、一端用か他端用かを区別する必要がなくなるので、端部用幅調整板の製造、製品管理等において煩雑さがなく、また、施工現場における管理も容易で、両者を取り違えて準備した場合に作業能率が大幅に低下する等の問題も生じない。
【００１４】
請求項４によれば、縦面部が、その上端縁側がデッキプレート幅方向の梁に接近する向きに傾斜しているので、この縦面部とデッキプレートの斜面部との間の空間は上広がりの空間となり、したがって、この空間は縦面部が垂直の場合と比較して広くなり、この部分にもコンクリートを確保できる。特に、縦面部が垂直の場合、幅調整板敷設時に、幅調整板をデッキプレートの斜面部側に押し付けてしまうと斜面部との間の空間が著しく狭くなってしまうが、縦面部が傾斜していることで、斜面部との間の空間が著しく狭くなることを防止できる。
【発明を実施するための最良の形態】
【００１５】
以下、本発明のデッキプレート敷設用の端部用幅調整板、及びこれを用いたデッキプレート敷設構造の実施例を、図１〜図１４参照して説明する。
【実施例１】
【００１６】
図１は本発明の一実施例のデッキプレート敷設用の端部用幅調整板１１の正面図、図２（イ）は同平面図、図２（ロ）は展開図（折り曲げ加工する前の板材形状を示す図）、図３は図１のＡ−Ａ断面図、図４は斜視図である。図５は上記端部用幅調整板１１の使用状態を説明するもので、（イ）は端部閉塞デッキプレート１を梁１５間に掛け渡した状態の正面図、（ロ）は敷設したデッキプレート全体の幅方向端縁とデッキプレート幅方向の梁１６との間の隙間（Ｓで示した部分）に、中間部用幅調整板３１とともに端部用幅調整板１１を配置した状態を示す平面図、図６は図５のＢ−Ｂ拡大切断端面図、図７は図５（ロ）における、デッキプレート１を除いて示したＣ−Ｃ断面図、図８は図７の要部の斜視図、図９は図５（ロ）のＤ部の斜視図、図１０は同じく図５（ロ）のＤ部の斜視図であるが図９とは反対側から見た切り欠き斜視図である。
【００１７】
この実施例で対象とする端部閉塞デッキプレート１は、図６に断面形状を示すように、水平な山面２と谷面３とが斜面４で連続して台形波形断面形状をなし、谷面３と同じ高さの両側縁部６、７に、隣接するデッキプレートどうしを互いに係合させるための係合部６ａ、７ａを形成した断面形状である。
また、本発明では、デッキプレートの長さ方向両端部を金型で押し潰すことにより谷面３より高い位置に端部閉塞の梁載置部を形成した端部閉塞デッキプレートを対象とするが、この実施例の端部閉塞デッキプレート１は、図５、図９、図１０等に示されるように、端部閉塞の梁載置部８が山面２と谷面３との中間高さ位置に形成されたいわゆる中間エンクロタイプの端部閉塞デッキプレートである。
【００１８】
この実施例の端部用幅調整板１１は、図１〜図５、図８、図９等に示すように、デッキプレート幅方向の梁１６に載る上面部１７と、下端縁がデッキプレートの側縁６（又は７）に載る縦面部１９と、この縦面部１９の下端縁から上面部１７と反対側に水平に折れ曲がった下面部１８とを有して略Ｚ形断面形状をなす中間部分２１の両側にそれぞれ、前記中間部分の上面部及び縦面部を延長したＺ形断面形状を基本形状とするがデッキプレートの長さ方向端部における変形した側縁部に沿う形状にした変形対応端部２２を有している。具体的には、変形対応端部２２の上面部１７は、長さ方向端部における幅方向片側縁部に上方に浮き上がった隆起部（下面側から見て凹み部）２０を備え、縦面部１９は前記隆起部２０の端から斜め下方に向かう傾斜縁１９ａを有している。すなわち、デッキプレート長さ方向の梁１５に載る部分には縦面部がなく、それに続く部分は縦面部１９が斜めに切り欠かれ、この斜めに切り欠かれた縦面部１９の下端部において下面部１８も斜めに切り欠いている。
したがって、この端部用幅調整板１１は、図１その他の図に示すようにデッキプレート幅方向からみて左右対称形状になっている。前記隆起部２０は、デッキプレート１の係合部６ａ、７ａの長さ方向端部の押し潰し部分に厚みがあるので、その厚みをかわすために形成したものである。
この端部用幅調整板１１は、図２（ロ）に示した展開図の形状に切り出した平板Ｐをプレス加工して製作することができる。
【００１９】
上記の端部用幅調整板１１は、図５〜図８のようにして用いられる。すなわち、図５（ロ）のように、上記の複数の端部閉塞デッキプレート１を梁１５間に掛け渡して敷設する際に、敷設したデッキプレート全体の幅方向端縁とデッキプレート幅方向の梁１６との間に隙間Ｓが生じる場合に、この隙間Ｓをなくすように、デッキプレート長さ方向の中間位置に対応する中間部用幅調整板３１とともにその両側に配置する。中間部用幅調整板３１は、端部用幅調整板１１の中間部分２１の断面形状と同じく、図６、図８等に示すように、デッキプレート幅方向の梁１６に載る上面部３７と、デッキプレートの側縁６（又は７）に載る下面部３８と、両者間をつなぐ縦面部３９からなるＺ形断面であるが、全長に渡って一様断面である。中間部用幅調整板３１とその両側の端部用幅調整板１１との全体がデッキプレートと梁１６との間の隙間Ｓをなくすための幅調整板１０を構成する。
【００２０】
建築物の梁の状況により長さの異なるデッキプレートが用いられる場合には、中間部用幅調整板３１はデッキプレートの長さに対応する長さとするが、端部用幅調整板１１は共通に用いられる。このように、デッキプレートの長さに応じて適切な長さの中間部用幅調整板を用いることで、デッキプレートの種々の長さに容易に対応できる。なお、デッキプレート長さが若干異なる程度であれば、端部用幅調整板１１と中間部用幅調整板３１との重なり部分の長さを調節することで対応することも可能である。
【００２１】
この端部用幅調整板１１は左右対称形状であるから、デッキプレート長さ方向の一端用の端部用幅調整板としても他端用の端部用幅調整板としても用いることができる。また、デッキプレート端縁と梁との間の隙間が図５（ロ）の隙間Ｓと反対側に生じる場合（図５（ロ）で下側部分に生じる場合）でも同じ端部用幅調整板１１を用いることができる。このように、１種類の端部用幅調整板１１のみですべての場合に対応できる。
したがって、一端用か他端用かを区別する必要がなくなるので、端部用幅調整板の製造、製品管理等において煩雑さがなく、また、施工現場における管理も容易で、両者を取り違えて準備した場合に作業能率が大幅に低下する等の問題も生じない。
【実施例２】
【００２２】
実施例の端部閉塞デッキプレートは、図５（イ）に示すように梁載置部８の上面側の平坦域８ｂを下面側の平坦域８ａより短かくした中間エンクロタイプであるが、図１４に示した端部閉塞デッキプレート１’のように、梁載置部８’の上下の平坦域８ａ’、８ｂ’が同様に平坦に押し潰された中間エンクロタイプであっても、同様に適用できる。
本発明はまた、中間エンクロタイプの端部閉塞デッキプレートに限らず、図１４（ロ）に示したデッキプレート１”のように、梁載置部８”が、山面２の高さ位置に形成されたいわゆる逆エンクロタイプの端部閉塞デッキプレートにも適用することもできる。この場合は、谷面３の梁載置部８”に対する深さが深くなるので、端部用幅調整板の変形対応端部をその深くなった形状に対応させる。
要するに、梁載置部が谷面３より高い位置に形成されて、デッキプレートの側縁部６、７が梁載置部（ないし梁上面）より低くなる端部閉塞デッキプレートに適用することができる。
【実施例３】
【００２３】
上述の実施例は、上面からみてデッキプレート１と梁１６との間に隙間Ｓが生じるデッキプレート配列の場合のものであるが、図１１に示す幅調整板（端部用幅調整板１１’及び中間部用幅調整板３１’）１０’のように、デッキプレート１の幅方向端縁（図示例では係合部６ａの端縁）と梁１６の縁部とが鉛直線上にある場合、すなわち、上面からみてデッキプレート１と梁１６との間に隙間が生じないデッキプレート配列の場合にも用いられる。この場合の幅調整板１０’は、デッキプレート１の側縁部６と梁１６との間の上下方向の隙間をなくす機能のみを持つ。なお、端部用幅調整板１１’及び中間部用幅調整板３１’の縦面部１９’、３９’及び下面部１８’、３８’は前述と同じであるが、上面部１７’、３７’は短くできる。
【実施例４】
【００２４】
本発明における幅調整板は、図１２に示した幅調整板（端部用幅調整板１１”及び中間部用幅調整板３１”）１０”のように、上面部１７”、３７”と縦面部１９”、３９”とのみからなる略Ｌ形をなし下面部のない断面形状であってもよい。
【実施例５】
【００２５】
なお、実施例の端部用幅調整板１１は変形対応端部２２の上面部に隆起部２０を形成しているが、デッキプレート１の係合部６ａ、７ａの押し潰された部分の厚みがあまり厚くならない場合、あるいは係合部自体がないデッキプレートの場合には、隆起部を設ける必要はない。
【実施例６】
【００２６】
また、実施例の端部用幅調整板１１及び中間部用幅調整板３１の断面形状は、縦面部１９、３９が垂直をなすＬ形あるいはＺ形断面形状であるが、縦面部は必ずしも垂直である必要はなく若干傾斜していてもよい。例えば図１３に示した幅調整板（端部用幅調整板１１”’及び中間部用幅調整板３１”’）１０”’のように、縦面部１９”’、３９”’を、その上端縁側がデッキプレート幅方向の梁１６に接近する向きに傾斜させてもよい。
上記のように縦面部１９”’、３９”’を傾斜させることで、この縦面部１９”’、３９”’とデッキプレート１の斜面部４との間の空間は上広がりの空間となり、したがって、この空間は縦面部が垂直の場合と比較して広くなり、この部分にもコンクリートを確保できる。
特に、縦面部が垂直の場合、幅調整板敷設時に、幅調整板（端部用幅調整板１１”’及び中間部用幅調整板３１”’）１０”’をデッキプレートの斜面部４側に押し付けてしまうと斜面部４との間の空間が著しく狭くなってしまうが、縦面部１９”’、３９”’が傾斜していることで、斜面部との間の空間が著しく狭くなることを防止できる。
【図面の簡単な説明】
【００２７】
【図１】本発明の一実施例のデッキプレート敷設用の端部用幅調整板の正面図である。
【図２】（イ）は図１の端部用幅調整板の平面図、（ロ）は展開図（折り曲げ加工する前の板材形状を示す図）である。
【図３】図１のＡ−Ａ断面図である。
【図４】図１の端部用幅調整板の斜視図である。
【図５】上記端部用幅調整板の使用状態を説明するもので、（イ）は端部閉塞デッキプレートを梁間に掛け渡した状態の正面図、（ロ）は敷設したデッキプレート全体の幅方向端縁とデッキプレート幅方向の梁との間の隙間に、中間部用幅調整板とともに端部用幅調整板を配置した状態を示す平面図である。
【図６】図５のＢ−Ｂ拡大切断端面図である。
【図７】図５（ロ）における、デッキプレートを除いて示したＣ−Ｃ断面図である。
【図８】図７の要部の斜視図である。
【図９】図５（ロ）のＤ部の斜視図である。
【図１０】同じく図５（ロ）のＤ部の斜視図であるが、図９とは反対側から見た切り欠き斜視図である。
【図１１】本発明の端部用幅調整板の他の実施例を示すもので、図６に対応する図である。
【図１２】本発明の端部用幅調整板のさらに他の実施例を示すもので、図６に対応する図である。
【図１３】本発明の端部用幅調整板のさらに他の実施例を示すもので、図６に対応する図である。
【図１４】本発明の端部用幅調整板が対象とする端部閉塞デッキプレートの他の例を示すもので、（イ）は端部閉塞の梁載置部の上下の平坦域長さが等しい中間エンクロタイプの端部閉塞デッキプレート、（ロ）は逆エンクロタイプの端部閉塞デッキプレートを示す。
【図１５】従来の端部用幅調整板を示すもので、（イ）は図７に対応する図、（ロ）は（イ）の拡大Ｅ−Ｅ断面図である。
【符号の説明】
【００２８】
１、１’、１”  端部閉塞デッキプレート
２  山面
３  谷面
４  斜面
６、７  側縁部
６ａ、７ａ  係合部
８、８’、８”  梁載置部
１０、１０’、１０”、１０”’  幅調整板
１１、１１’、１１”、１１”’  端部用幅調整板
１５  （デッキプレートを掛け渡す）梁
１６  （デッキプレート幅方向の）梁
１７、１７’、１７”、１７”’  （端部用幅調整板用の）上面部
１８、１８’、１８”’  （端部用幅調整板用の）下面部
１９、１９’、１９”、１９”’  （端部用幅調整板用の）縦面部
２０  隆起部
２１  中間部分
２２  変形対応端部
３１、３１’、３１”、３１”’  中間部用幅調整板
３７、３７’、３７”、３７”’  （中間部用幅調整板用の）上面部
３８、３８’、３８”’  （中間部用幅調整板用の）下面部
３９、３９’、３９”、３９”’  （中間部用幅調整板用の）縦面部
Ｓ  （デッキプレート全体幅の端縁とデッキプレート幅方向の梁との間の）隙間
Ｐ  （端部用幅調整板にプレス加工する前の）平板
【図１】
0004694368.tif 000002
【図２】
0004694368.tif 000003
【図３】
0004694368.tif 000004
【図４】
0004694368.tif 000005
【図５】
0004694368.tif 000006
【図６】
0004694368.tif 000007
【図７】
0004694368.tif 000008
【図８】
0004694368.tif 000009
【図９】
0004694368.tif 000010
【図１０】
0004694368.tif 000011
【図１１】
0004694368.tif 000012
【図１２】
0004694368.tif 000013
【図１３】
0004694368.tif 000014
【図１４】
0004694368.tif 000015
【図１５】
0004694368.tif 000016